(57)【要約】  設置装置から所定の距離以内のエリアに位置するユーザ携帯端末各々から、ユーザの属性情報を取得する属性情報取得部（１１）と、上記エリア内を撮影した撮影画像の画像データを取得する撮影画像取得部（１２）と、撮影画像を解析することにより、撮影画像に写っている人物を認識するとともに、認識した人物毎に属性情報を推定して推定属性情報を生成する画像処理部（１３）と、同一人物を重複して表す属性情報及び推定属性情報、属性情報で表されていない人物を表す推定属性情報、及び、推定属性情報で表されていない人物を表す属性情報の中の少なくとも一つを抽出する抽出部（１４）と、を有するデータ処理装置（１０）。
2016035632.tif 000002
【特許請求の範囲】
【請求項１】
設置装置から所定の距離以内のエリアに位置するユーザ携帯端末各々から、ユーザの属性情報を取得する属性情報取得手段と、
前記エリア内を撮影した撮影画像の画像データを取得する撮影画像取得手段と、
前記撮影画像を解析することにより、前記撮影画像に写っている人物を認識するとともに、認識した人物毎に属性情報を推定して推定属性情報を生成する画像処理手段と、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出手段と、
を有するデータ処理装置。
【請求項２】
請求項１に記載のデータ処理装置において、
前記抽出手段は、互いに異なるタイミングで撮影された複数の前記撮影画像各々を解析することで生成された複数の前記推定属性情報の中から、同一人物を重複して表す前記推定属性情報をさらに抽出するデータ処理装置。
【請求項３】
請求項２に記載のデータ処理装置において、
前記画像処理手段は、前記撮影画像の解析により認識した人物毎に、前記撮影画像を解析することにより特徴量を抽出し、
前記抽出手段は、前記特徴量に基づいて、複数の前記推定属性情報の中から、同一人物を重複して表す前記推定属性情報を抽出するデータ処理装置。
【請求項４】
所定の場所に設置され、通信距離が所定の距離以内である所定の無線通信規格で通信可能である設置装置と、
ユーザに携帯され、前記無線通信規格で通信可能であり、前記設置装置から前記所定の距離以内のエリアに入ると、前記無線通信規格で前記設置装置と通信するユーザ携帯端末と、
前記エリア内を撮影する撮影装置と、
請求項１から３のいずれか１項に記載のデータ処理装置と、
を有するデータ処理システム。
【請求項５】
請求項４に記載のデータ処理システムにおいて、
前記ユーザ携帯端末は、前記設置装置と前記無線通信規格で通信すると、当該通信に応じて、自端末に予め記憶されているユーザの属性情報を前記データ処理装置に送信するデータ処理システム。
【請求項６】
請求項５に記載のデータ処理システムにおいて、
前記ユーザ携帯端末は、前記設置装置を介して、前記属性情報を前記データ処理装置に送信するデータ処理システム。
【請求項７】
コンピュータが、
設置装置から所定の距離以内のエリアに位置するユーザ携帯端末各々から、ユーザの属性情報を取得する属性情報取得工程と、
前記エリア内を撮影した撮影画像の画像データを取得する撮影画像取得工程と、
前記撮影画像を解析することにより、前記撮影画像に写っている人物を認識するとともに、認識した人物毎に属性情報を推定して推定属性情報を生成する画像処理工程と、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出工程と、
を実行するデータ処理方法。
【請求項８】
コンピュータを、
設置装置から所定の距離以内のエリアに位置するユーザ携帯端末各々から、ユーザの属性情報を取得する属性情報取得手段、
前記エリア内を撮影した撮影画像の画像データを取得する撮影画像取得手段、
前記撮影画像を解析することにより、前記撮影画像に写っている人物を認識するとともに、認識した人物毎に属性情報を推定して推定属性情報を生成する画像処理手段、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出手段、
として機能させるためのプログラム。
【発明の詳細な説明】
【技術分野】
【０００１】
本発明は、データ処理装置、データ処理システム、データ処理方法及びプログラムに関する。
【背景技術】
【０００２】
特許文献１には、顔画像に対して顔認識を行い、ユーザの性別や年令層を表す属性情報を抽出する情報処理装置が開示されている。
【先行技術文献】
【特許文献】
【０００３】
【特許文献１】特開２０１０−２８２５９０号公報
【発明の概要】
【発明が解決しようとする課題】
【０００４】
特許文献１に開示の技術を用いることで、例えば、あるスポット（店舗、施設等）に来たユーザの分析を行うことができる。しかし、顔画像を用いた顔認識の精度は十分でないため、分析精度が不十分になる。【０００５】
本願発明は、あるスポットに来たユーザの分析を行うための新たな技術を提供することを課題とする。
【課題を解決するための手段】
【０００６】
本発明によれば、
設置装置から所定の距離以内のエリアに位置するユーザ携帯端末各々から、ユーザの属性情報を取得する属性情報取得手段と、
前記エリア内を撮影した撮影画像の画像データを取得する撮影画像取得手段と、
前記撮影画像を解析することにより、前記撮影画像に写っている人物を認識するとともに、認識した人物毎に属性情報を推定して推定属性情報を生成する画像処理手段と、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出手段と、
を有するデータ処理装置が提供される。【０００７】
また、本発明によれば、
コンピュータが、
設置装置から所定の距離以内のエリアに位置するユーザ携帯端末各々から、ユーザの属性情報を取得する属性情報取得工程と、
前記エリア内を撮影した撮影画像の画像データを取得する撮影画像取得工程と、
前記撮影画像を解析することにより、前記撮影画像に写っている人物を認識するとともに、認識した人物毎に属性情報を推定して推定属性情報を生成する画像処理工程と、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出工程と、
を実行するデータ処理方法が提供される。【０００８】
また、本発明によれば、
コンピュータを、
設置装置から所定の距離以内のエリアに位置するユーザ携帯端末各々から、ユーザの属性情報を取得する属性情報取得手段、
前記エリア内を撮影した撮影画像の画像データを取得する撮影画像取得手段、
前記撮影画像を解析することにより、前記撮影画像に写っている人物を認識するとともに、認識した人物毎に属性情報を推定して推定属性情報を生成する画像処理手段、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出手段、
として機能させるためのプログラムが提供される。
【発明の効果】
【０００９】
本発明によれば、あるスポットに来たユーザの分析を行うための新たな技術が実現される。
【図面の簡単な説明】
【００１０】
上述した目的、およびその他の目的、特徴および利点は、以下に述べる好適な実施の形態、およびそれに付随する以下の図面によってさらに明らかになる。【００１１】
【図１】本実施形態のデータ処理システムの全体像の一例を説明するための図である。
【図２】本実施形態のデータ処理装置のハードウエア構成の一例を模式的に示す図である。
【図３】本実施形態のデータ処理装置の機能ブロック図の一例を示す図である。
【図４】本実施形態の属性情報取得部が取得する属性情報の一例を模式的に示す図である。
【図５】本実施形態の画像処理部が生成する推定属性情報の一例を模式的に示す図である。
【図６】本実施形態の抽出部により統合された属性情報及び推定属性情報の一例を模式的に示す図である。
【図７】本実施形態の画像処理部が生成する推定属性情報の一例を模式的に示す図である。
【図８】本実施形態の属性情報取得部が取得する属性情報の一例を模式的に示す図である。
【図９】本実施形態の画像処理部が生成する推定属性情報の一例を模式的に示す図である。
【図１０】本実施形態の属性情報取得部が取得する属性情報の一例を模式的に示す図である。
【図１１】本実施形態の画像処理部が生成する推定属性情報の一例を模式的に示す図である。
【図１２】本実施形態の属性情報取得部が取得する属性情報の一例を模式的に示す図である。
【図１３】本実施形態のデータ処理方法の処理の流れの一例を示すフローチャートである。
【図１４】本実施形態のデータ処理システムの全体像の一例を説明するための図である。
【００１２】
以下、本発明の実施形態について説明する。本実施形態の各装置及び各端末が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。【００１３】
以下の実施形態の説明において利用する機能ブロック図は、ハードウエア単位の構成ではなく、機能単位のブロックを示している。これらの図においては、各装置及び各端末は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。【００１４】
まず、図１を用いて、本実施形態のデータ処理システムの全体像について説明する。【００１５】
本実施形態のデータ処理システムは、データ処理装置１０、設置装置２０、ユーザ携帯端末３０及び撮影装置４０の中の少なくとも一つを有する。【００１６】
設置装置２０は、ユーザ情報を収集するスポット（所定の場所）に設置される。このようなスポットとしては、店舗、施設、建物等が考えられ、より詳細には、これらの出入口、スポット内の任意の位置等が考えられる。設置装置２０は、通信距離が所定の距離以内である所定の無線通信規格で通信可能に構成され、通信エリア２０Ａ内に入ってきたユーザ携帯端末３０と無線通信を行う。なお、図１では、１つの設置装置２０が示されているが、あるスポットに複数の設置装置２０が設置されてもよい。例えば、あるスポットの出入口と、スポットの内部の任意の位置等に複数の設置装置２０を設置してもよい。【００１７】
ユーザ携帯端末３０は、各ユーザに携帯される。ユーザ携帯端末３０は、上記無線通信規格で無線通信可能に構成されている。ユーザ携帯端末３０は、予め、ユーザの属性情報（名称、年令、性別等）を記憶している。そして、ユーザ携帯端末３０は、通信エリア２０Ａ内に入って設置装置２０と無線通信を行うと、それに応じて、上記ユーザの属性情報を無線ＬＡＮ（Local Area Network）やインターネット等のネットワーク１を介してデータ処理装置１０に送信する。【００１８】
撮影装置４０は、通信エリア２０Ａ内の少なくとも一部を撮影する。そして、撮影した画像データを有線及び／又は無線での通信により、データ処理装置１０に送信する。なお、図１では、データ処理装置１０と撮影装置４０の通信と、データ処理装置１０とユーザ携帯端末３０の通信とは、別のネットワークで実現されているが、同じネットワークで実現されてもよい。設置装置２０が複数設置される場合、撮影装置４０は、複数の設置装置２０の通信エリア２０Ａ各々に対応して設置され、各通信エリア２０Ａ内を撮影する。【００１９】
データ処理装置１０は、ユーザ携帯端末３０から収集したユーザの属性情報を蓄積する。また、撮影装置４０から取得した撮影画像に対して画像解析を行い、画像内に写っている人物を認識するとともに、認識した人物の属性（年令、性別等）を推定する。以下、画像解析で推定したユーザの属性を「推定属性情報」という。【００２０】
データ処理装置１０は、このように２つの手段で収集したユーザの属性情報（推定属性情報を含む）を用いて、スポットに来たユーザの分析を行う。分析内容は、様々であるが、例えば、以下の例が考えられる。【００２１】
（１） スポットに来たユーザの属性を分析
例えば、属性情報及び推定属性情報を用いた分析により、スポットに来たユーザの割合、男女比率、年令層等を分析することができる。【００２２】
なお、上記した顔画像を用いてユーザの推定属性情報を取得する手段、及び、ユーザ携帯端末３０からユーザの属性情報を取得する手段、いずれか一方のみでも、ある程度はユーザの属性情報又は推定属性情報を収集し、スポットに来たユーザの属性を分析することができる。しかし、いずれの手段の場合も、その精度が十分でないという問題がある。【００２３】
顔画像を用いてユーザの推定属性情報を取得する手段の場合、例えば、複数のユーザが重なり合った状態で撮影されるなどの不都合が生じうる。この場合、後方に位置するユーザを人物として認識できず、そのユーザの推定属性情報を収集できないという事態が生じうる。また、ユーザ携帯端末３０からユーザの属性情報を取得する手段の場合、ユーザがユーザ携帯端末３０を携帯していなかったり、電源をＯＦＦにしている場合等には、ユーザの属性情報を取得できない。ユーザ携帯端末３０はユーザの管理下にあるため、ユーザ携帯端末３０を携帯するか否か、電源をＯＮにするかＯＦＦにするか等は、ユーザ次第である。このため、このような不都合を改善して、精度を向上させるのは難しい。【００２４】
これに対し、本実施形態では、顔画像を用いてユーザの推定属性情報を取得する手段、及び、ユーザ携帯端末３０からユーザの属性情報を取得する手段の両方で収集したユーザの属性情報及び推定属性情報を用いて、スポットに来たユーザの属性を分析する。この場合、一方の手段で取得できなかったあるユーザの属性情報又は推定属性情報を、他方の手段で取得することにより、精度を向上させることができる。【００２５】
なお、当該手段の場合、同一ユーザを重複して表す属性情報及び推定属性情報が発生し得る。詳細は後述するが、本実施形態では、このような属性情報及び推定属性情報を抽出し、それらを統合することができる。結果、スポットに来たユーザの属性を分析する際、あるユーザを２人以上のユーザとして重ねてカウントしてしまう等の不都合を解消することができる。【００２６】
（２）ユーザ携帯端末３０を携帯していないユーザを抽出
詳細は後述するが、本実施形態では、ユーザ携帯端末３０からユーザの属性情報を取得する手段によっては属性情報を取得されていないが、顔画像を用いてユーザの推定属性情報を取得する手段により推定属性情報を取得されているユーザを抽出することができる。このようなユーザは、ユーザ携帯端末３０を携帯していない、又は、電源をＯＦＦにしているユーザであると推定できる。【００２７】
当該分析により、例えば、スポットに来たユーザの中のユーザ携帯端末３０を携帯していないユーザの割合、男女比率、年令層等を分析することができる。また、ユーザ携帯端末３０を携帯してスポットに来ることをルール化していた場合や、ユーザ携帯端末３０を配布されたユーザのみがスポットに来ることができる場合、このようなルールを破ってスポットに来ているユーザを特定することができる。例えば、推定属性情報を生成する元となった顔画像を各推定属性情報に対応付けておくことで、このようなルールを破ったユーザの推定年令、推定性別のみならず、顔画像をも取得することができる。【００２８】
（３）顔画像を用いて推定属性情報を取得できなかったユーザを抽出
詳細は後述するが、本実施形態では、顔画像を用いてユーザの推定属性情報を取得する手段によっては推定属性情報を取得されていないが、ユーザ携帯端末３０からユーザの属性情報を取得する手段により属性情報を取得されているユーザを抽出することができる。このようなユーザを抽出することで、顔画像を用いた解析による推定属性情報の取得が難しいユーザの割合、男女比率、年令層等を分析することができる。また、抽出した属性情報とともに、当該属性情報が取得されたタイミングの撮影画像を対応付けて蓄積することで、顔画像を用いた推定属性情報の収集に失敗した事例を蓄積することができる。【００２９】
以下、各装置の構成について説明する。【００３０】
＜設置装置２０＞
設置装置２０は、通信距離が所定の距離以内である所定の無線通信規格で通信可能に構成され、通信エリア２０Ａ内に入ってきたユーザ携帯端末３０と無線通信を行う。【００３１】
例えば、検知情報送信部２１は、通信距離が所定の距離以内である所定の無線通信規格を用いて、自装置から所定の距離以内の通信エリア（図１の通信エリア２０Ａ）内に、定期的に又は間欠的に検知情報を送信する。検知情報には、設置装置２０の識別情報が含まれてもよい。そして、当該通信エリア（図１の通信エリア２０Ａ）内に位置するユーザ携帯端末３０は、当該検知情報を受信することとなる。無線通信規格は、ブルートゥース規格や無線ＬＡＮ規格等が挙げられるがこれらに限定されない。設置装置２０は、例えば、いわゆるビーコン端末や無線ＬＡＮアクセスポイントであってもよいが、これらに限定されない。【００３２】
＜ユーザ携帯端末３０＞
ユーザ携帯端末３０は、予め、ユーザの属性情報を記憶している。属性情報は、ユーザの名称、ニックネーム、年令、性別、職業、趣味等様々である。【００３３】
また、ユーザ携帯端末３０は、設置装置２０と同じ無線通信規格で通信可能に構成されている。そして、ユーザ携帯端末３０は、設置装置２０の通信エリア２０Ａ内に入り、設置装置２０と上記無線通信規格で通信を行うと、それに応じて、記憶しているユーザの属性情報をデータ処理装置１０に送信する。なお、ユーザ携帯端末３０は、ユーザの属性情報に対応付けて、属性情報をデータ処理装置１０に送信した送信日時や、設置装置２０と通信した日時などの日時情報をデータ処理装置１０に送信してもよい。【００３４】
例えば、ユーザ携帯端末３０は、設置装置２０の通信エリア２０Ａに入ると、設置装置２０から定期的に又は間欠的に送信されている検知情報を受信する。そして、ユーザ携帯端末３０は、当該検知情報の受信に応じて、ユーザの属性情報をデータ処理装置１０に送信する。例えば、ユーザ携帯端末３０は、検知情報を受信すると、検知情報内の所定の位置にユーザの属性情報を書き込み、それをデータ処理装置１０に送信してもよい。【００３５】
なお、通信エリア２０Ａ内にユーザ携帯端末３０がいる間、ユーザ携帯端末３０は、設置装置２０から定期的に又は間欠的に送信される検知情報を受信し続けることとなる。ユーザ携帯端末３０は、検知情報を受信すると、その都度、ユーザの属性情報をデータ処理装置１０に送信してもよい。または、ユーザ携帯端末３０は、設置装置２０から所定の時間よりも短い時間間隔で連続的に検知情報を受信した場合、２回目以降の受信時にはユーザの属性報を送信しないように構成してもよい。【００３６】
ユーザ携帯端末３０は、例えば、スマートフォン等の携帯電話、タブレット端末、携帯ゲーム機等の既存の携帯端末に所定のアプリをインストールすることで上記機能を実現したものであってもよい。または、ユーザ携帯端末３０は、本実施形態のデータ処理システム専用に準備された端末であってもよい。【００３７】
＜撮影装置４０＞
撮影装置４０は、設置装置２０に対応して設置される。そして、撮影装置４０は、設置装置２０の通信エリア２０Ａ内を撮影する。例えば、撮影装置４０は動画像を撮影してもよいし、静止画像を定期的に（動画像よりも長い時間間隔で）撮影してもよい。【００３８】
撮影装置４０は、撮影した画像データを、有線及び／又は無線での通信により、データ処理装置１０に送信する。なお、撮影装置４０は、自装置を識別できる情報をデータ処理装置１０に送信し、送信した画像データの送信元を特定できるようにしてもよい。また、撮影装置４０は、各画像データ（各フレームデータ）の撮影日時を特定する日時情報をさらに１０に送信してもよい。【００３９】
撮影装置４０は、通信エリア２０Ａ内に入ったユーザを漏れなく撮影できるのが好ましい。このため、撮影装置４０は、例えば通信エリア２０Ａ内全体を撮影できるように設置されてもよい。または、通信エリア２０Ａに入ったユーザが必ず通るポイントがある場合、例えば通信エリア２０Ａ内にユーザが必ず通るスポットの出入口が含まれている場合、撮影装置４０はこのユーザが必ず通るポイントを撮影するように設定されてもよい。この場合、通信エリア２０Ａの全体を撮影できなくてもよい。【００４０】
＜データ処理装置１０＞
図２は、本実施形態のデータ処理装置１０のハードウエア構成の一例を概念的に示す図である。図示するように、本実施形態のデータ処理装置１０は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。また、図示する要素の一部を含まなくてもよい。【００４１】
ＣＰＵ１Ａは各要素とともにデータ処理装置１０のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。【００４２】
タッチパネルディスプレイ５Ａは、表示装置（ＬＥＤ（Light Emitting Diode）表示器、液晶ディスプレイ、有機ＥＬ（Electro Luminescence）ディスプレイ等）と、タッチパッドとが一体になっている。表示制御部４Ａは、ＶＲＡＭ（Video RAM）に記憶されたデータを読み出し、読み出したデータに対して所定の処理を施した後、タッチパネルディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／又は無線で、インターネット、ＬＡＮ等のネットワークに接続し、他の電子機器と通信する。【００４３】
図３に、データ処理装置１０の機能ブロック図の一例を示す。図示するように、データ処理装置１０は、属性情報取得部１１と、撮影画像取得部１２と、画像処理部１３と、抽出部１４とを有する。【００４４】
属性情報取得部１１は、設置装置２０から所定の距離以内のエリア（図１の通信エリア２０Ａ）に位置するユーザ携帯端末３０各々から、ユーザの属性情報を取得する。すなわち、属性情報取得部１１は、上述のようにしてユーザ携帯端末３０から送信されたユーザの属性情報を受信する。なお、属性情報取得部１１が取得したユーザの属性情報には、取得日時情報が対応付けられてもよい。ここでの取得日時情報は、例えば、ユーザ携帯端末３０が属性情報に対応付けた日時情報であってもよいし、又は、属性情報取得部１１がユーザ携帯端末３０から属性情報を取得した日時を示す情報であってもよい。【００４５】
図４に、属性情報取得部１１が取得し、蓄積した複数の属性情報の一例を模式的に示す。図示する例では、属性情報ＩＤ（属ＩＤ）と、属性情報と、取得日時情報とが対応付けられている。図４に示す複数の属性情報は、取得日時情報順に並んでいる。当該例によれば、属ＩＤ「Ａ０００１」の属性情報は、「○○さん、４２才、男性」であり、取得日時情報は「２０１４年７月１７日１３時１７分１５秒」であることが分かる。【００４６】
撮影画像取得部１２は、設置装置２０から所定の距離以内のエリア（図１の通信エリア２０Ａ）内を撮影した撮影画像の画像データを撮影装置４０から取得する。すなわち、撮影画像取得部１２は、上述のようにして撮影装置４０から送信されてきた画像データを取得する。【００４７】
画像処理部１３は、撮影画像取得部１２が取得した画像データの撮影画像を解析することにより、撮影画像に写っている人物を認識するとともに、認識した人物毎に属性情報を推定して推定属性情報を生成する。推定属性情報は、例えば、認識した人物の年令及び性別を含んでもよい。また、画像処理部１３、認識した人物毎に、撮影画像を解析することにより所定の特徴量を抽出してもよい。特徴量は、各人物の顔から抽出される特徴量であってもよいし、各人物の服装や持ち物から抽出される特徴量（色、形等）であってもよい。【００４８】
なお、画像処理部１３は、あるフレームの撮影画像を解析して新たな所定の人物を認識した後、以降のフレームの解析時にその人物を追跡し、複数のフレームに跨って連続的に写る同一人物の画像データを１つの画像処理単位としてまとめてもよい。そして、当該画像処理単位に対して画像解析を行い、１つの推定属性情報を生成してもよい。なお、同一人物であっても、フレームイン後、一度フレームアウトし、その後再びフレームインした場合、フレームアウト前の撮影画像を１つの画像処理単位とし、フレームアウト後に再びフレームインした後の撮影画像を他の１つの画像処理単位とすることができる。【００４９】
図５に、画像処理部１３により生成される複数の推定属性情報の一例を模式的に示す。図示する例では、推定属性情報ＩＤ（推属ＩＤ）と、推定属性情報と、特徴量と、取得日時情報とが対応付けられている。図５に示す複数の属性情報は、取得日時順に並んでいる。取得日時情報は、各推定属性情報を生成する元となった上記画像処理単位に含まれる１つまたは複数のフレームの撮影日時の範囲を示す。当該例によれば、推属ＩＤ「Ｂ０００１」の推定属性情報は、「４０代、男性」であり、当該人物から抽出した特徴量は、「×××」であり、取得日時情報は「２０１４年７月１７日１３時１７分１４秒〜２０１４年７月１７日１３時１７分１７秒」であることが分かる。【００５０】
なお、推定属性情報には、さらに、各推定属性情報を生成する元となった画像データが対応付けられてもよい。【００５１】
抽出部１４は、同一人物を重複して表す属性情報及び推定属性情報、属性情報で表されていない人物を表す推定属性情報、及び、推定属性情報で表されていない人物を表す属性情報の中の少なくとも一つを抽出する。【００５２】
さらに、抽出部１４は、互いに異なるタイミングで撮影された複数の撮影画像各々を解析することで生成された複数の推定属性情報の中から、同一人物を重複して表す推定属性情報を抽出してもよい。「異なるタイミングで撮影された複数の撮影画像」とは、上述した画像処理単位が異なる撮影画像であってもよい。例えば、抽出部１４は、画像処理部１３が抽出した各ユーザの特徴量に基づいて、複数の推定属性情報の中から、同一人物を重複して表す推定属性情報を抽出してもよい。【００５３】
以下、抽出部１４による処理例を説明する。
○ 処理例１（同一人物を重複して表す属性情報及び推定属性情報を抽出）
まず、抽出部１４は、処理対象として決定している１つの属性情報と同じタイミングで取得された推定属性情報を抽出する。例えば、取得日時が、処理対象（属性情報）の取得日時を含む推定属性情報を、同じタイミングで取得された推定属性情報として抽出してもよい。または、取得日時の代表日時（推定属性情報の取得日時の中の任意の日時）と処理対象（属性情報）の取得日時との差が所定時間以内である推定属性情報を、同じタイミングで取得された推定属性情報として抽出してもよい。【００５４】
その後、抽出部１４は、抽出した推定属性情報、及び、処理対象（属性情報）の値を利用した所定のアルゴリズムに基づき、抽出した推定属性情報と処理対象（属性情報）の一致度を算出する。そして、算出した一致度に基づいて、処理対象の属性情報と抽出した推定属性情報は同一人物を表すか否かを判断する。例えば、一致度が所定値以上である場合、処理対象の属性情報とその推定属性情報は同一人物を表すと判断してもよい。なお、処理対象の属性情報との一致度が所定値以上である推定属性情報が複数ある場合、抽出部１４は、一致度が最も高い推定属性情報と、処理対象の属性情報が同一人物を表すと判断してもよい。【００５５】
ここで、具体例を説明する。例えば、抽出部１４は、図４の属ＩＤ「Ａ０００１」を処理対象にしたとする。この場合、図５に示す推定属性情報の中から、同じタイミングで取得された推定属性情報として、推属ＩＤ「Ｂ０００１」、「Ｂ０００２」の属性情報のみが抽出される。【００５６】
その後、抽出部１４は、属ＩＤ「Ａ０００１」の属性情報と推属ＩＤ「Ｂ０００１」の推定属性情報との一致度、及び、属ＩＤ「Ａ０００１」の属性情報と推属ＩＤ「Ｂ０００２」の推定属性情報との一致度を算出する。ここでは、性別及び年令層が一致する推属ＩＤ「Ｂ０００１」の推定属性情報の方が、推属ＩＤ「Ｂ０００２」よりも高い一致度が算出される。また、性別及び年令層が一致する推属ＩＤ「Ｂ０００１」の推定属性情報の一致度は、所定値以上となる。そこで、抽出部１４は、図４の属ＩＤ「Ａ０００１」の属性情報と、図５の推属ＩＤ「Ｂ０００１」の属性情報は、同一値人物を表すと判断する。【００５７】
○処理例２（同一人物を重複して表す属性情報及び推定属性情報を抽出）
まず、抽出部１４は、処理対象として決定している１つの推定属性情報と同じタイミングで取得された属性情報を抽出する。例えば、取得日時が、処理対象（推定属性情報）の取得日時に含まれる属性情報を、同じタイミングで取得された属性情報として抽出してもよい。または、処理対象（推定属性情報）の取得日時の代表日時（推定属性情報の取得日時の中の任意の日時）との差が所定時間以内である属性情報を、同じタイミングで取得された属性情報として抽出してもよい。【００５８】
その後、抽出部１４は、処理対象（推定属性情報）及び抽出した属性情報の値を利用した所定のアルゴリズムに基づき、処理対象（推定属性情報）と、抽出した属性情報との一致度を算出する。そして、算出した一致度に基づいて、処理対象の推定属性情報と抽出した属性情報は同一人物を表すか否かを判断する。例えば、一致度が所定値以上である場合、処理対象の推定属性情報とその属性情報は同一人物を表すと判断してもよい。なお、処理対象の推定属性情報との一致度が所定値以上である属性情報が複数ある場合、抽出部１４は、一致度が最も高い属性情報と、処理対象の推定属性情報が同一人物を表すと判断してもよい。【００５９】
ここで、具体例を説明する。例えば、抽出部１４は、図５の推属ＩＤ「Ｂ０００１」を処理対象にしたとする。この場合、図４に示す属性情報の中から、同じタイミングで取得された属性情報として、属ＩＤ「Ａ０００１」、「Ａ０００２」の属性情報のみが抽出される。【００６０】
その後、抽出部１４は、推属ＩＤ「Ｂ０００１」の推定属性情報と属ＩＤ「Ａ０００１」の属性情報との一致度、及び、推属ＩＤ「Ｂ０００１」の推定属性情報と属ＩＤ「Ａ０００２」の属性情報との一致度を算出する。ここでは、性別及び年令層が一致する属ＩＤ「Ａ０００１」の属性情報の方が、属ＩＤ「Ａ０００２」よりも高い一致度が算出される。また、性別及び年令層が一致する属ＩＤ「Ａ０００１」の属性情報の一致度は、所定値以上となる。そこで、抽出部１４は、図５の推属ＩＤ「Ｂ０００１」の推定属性情報と、図４の属ＩＤ「Ａ０００１」の属性情報は、同一値人物を表すと判断する。【００６１】
○ 処理例３（属性情報で表されていない人物を表す推定属性情報を抽出）
まず、抽出部１４は、処理対象として決定している１つの推定属性情報と同じタイミングで取得された属性情報を、例えば処理例２と同様の手法により抽出する。ここで、属性情報が抽出されなかった場合、抽出部１４は、処理対象の推定属性情報を、属性情報で表されていない人物を表す推定属性情報として抽出する。【００６２】
一方、属性情報が抽出された場合、抽出部１４は、処理対象（推定属性情報）及び抽出された属性情報の値を利用した所定のアルゴリズムに基づき、処理対象（推定属性情報）と、抽出した属性情報との一致度を算出する。そして、算出した一致度に基づいて、処理対象（推定属性情報）と抽出した属性情報は同一人物を表すか否かを判断する。そして、処理対象との一致度が所定値以上である属性情報が存在しなかった場合、抽出部１４は、処理対象（推定属性情報）を、属性情報で表されていない人物を表す推定属性情報として抽出する。【００６３】
ここで、具体例を説明する。例えば、抽出部１４は、図５の推属ＩＤ「Ｂ０００３」を処理対象にしたとする。この場合、図４に示す属性情報の中から、同じタイミングで取得された属性情報が抽出されない。そこで、抽出部１４は、推属ＩＤ「Ｂ０００３」の推定属性情報を、属性情報で表されていない人物を表す推定属性情報として抽出する。【００６４】
○ 処理例４（推定属性情報で表されていない人物を表す属性情報を抽出）
まず、抽出部１４は、処理対象として決定している１つの属性情報と同じタイミングで取得された推定属性情報を、例えば処理例１と同様の手法により抽出する。ここで、推定属性情報が抽出されなかった場合、抽出部１４は、処理対象の属性情報を、推定属性情報で表されていない人物を表す属性情報として抽出する。【００６５】
一方、推定属性情報が抽出された場合、抽出部１４は、抽出された推定属性情報及び処理対象（属性情報）の値を利用した所定のアルゴリズムに基づき、処理対象（属性情報）と、抽出した推定属性情報との一致度を算出する。そして、算出した一致度に基づいて、処理対象（属性情報）と抽出した推定属性情報は同一人物を表すか否かを判断する。そして、処理対象との一致度が所定値以上である推定属性情報が存在しなかった場合、抽出部１４は、処理対象（属性情報）を、推定属性情報で表されていない人物を表す属性情報として抽出する。【００６６】
ここで、具体例を説明する。例えば、抽出部１４は、図４の属ＩＤ「Ａ０００３」を処理対象にしたとする。この場合、図５に示す推定属性情報の中から、同じタイミングで取得された推定属性情報が抽出されない。そこで、抽出部１４は、属ＩＤ「Ａ０００３」の属性情報を、推定属性情報で表されていない人物を表す属性情報として抽出する。【００６７】
○ 処理例５（複数の推定属性情報の中から、同一人物を重複して表す推定属性情報を抽出）
抽出部１４は、１つの推定属性情報を処理対象として決定する。その後、抽出部１４は、他の推定属性情報を検索対象とし、推定属性情報及び特徴量の値を利用した所定のアルゴリズムに基づき、処理対象の推定属性情報との一致度が所定値以上である推定属性情報を抽出する。そして、抽出部１４は、処理対象（推定属性情報）と、抽出した推定属性情報は同一人物を表すと判断する。【００６８】
ここで、具体例を説明する。例えば、抽出部１４は、図５の推属ＩＤ「Ｂ００２６」を処理対象にしたとする。そして、抽出部１４は、他の推定属性情報を検索対象として、推定属性情報及び特徴量の値を利用して算出される推属ＩＤ「Ｂ００２６」の推定属性情報との一致度が所定値以上である推定属性情報を検索する。【００６９】
当該例の場合、抽出部１４は、推定属性情報、及び、特徴量の値が一致する推属ＩＤ「Ｂ０００１」の推定属性情報を、処理対象との一致度が所定値以上である推定属性情報、すなわち、同一人物を重複して表す推定属性情報として抽出する。【００７０】
○ 処理例６（複数の属性情報の中から、同一人物を重複して表す属性情報を抽出）
抽出部１４は、１つの属性情報を処理対象として決定する。その後、抽出部１４は、他の属性情報を検索対象とし、属性情報の値が一致する属性情報を抽出する。そして、抽出部１４は、処理対象（属性情報）と、抽出した属性情報は同一人物を表すと判断する。【００７１】
ここで、具体例を説明する。例えば、抽出部１４は、図４の属ＩＤ「Ａ００２７」を処理対象にしたとする。そして、抽出部１４は、他の属性情報を検索対象として、属ＩＤ「Ａ００２６」の属性情報の値と一致する属性情報を検索する。【００７２】
当該例の場合、抽出部１４は、属性情報の値が一致する属ＩＤ「Ａ０００１」の属性情報を、同一人物を重複して表す属性情報として抽出する。【００７３】
○ 処理例７（処理例１乃至６で抽出した推定属性情報及び属性情報の整理）
処理例１乃至６の一部または全部を利用することで、属性情報取得部１１が取得した属性情報、及び、画像処理部１３が生成した推定属性情報を、例えば、図６に示すようにまとめることができる。図６に示す例では、同一人物を重複して表す属性情報及び推定属性情報、同一人物を重複して表す複数の推定属性情報、及び、同一人物を重複して表す複数の属性情報を統合し、１つのユーザＩＤにまとめている。結果、同一人物に対応して２つ以上のユーザＩＤが重ねて存在する不都合を軽減している。【００７４】
図示する例では、ユーザＩＤと、属性情報ＩＤ（属ＩＤ）と、推定属性情報ＩＤ（推属ＩＤ）と、属性情報又は推定属性情報と、特徴量とが対応付けられている。なお、その他、撮影画像、属性情報及び／又は推定属性情報の取得日時等が対応付けられてもよい。【００７５】
図示する例の場合、ユーザＩＤ「００００１」では、属ＩＤ「Ａ０００１」、「Ａ００２７」の属性情報と、推属ＩＤ「Ｂ０００１」、「Ｂ００２６」の推定属性情報とが統合されたものであることが分かる。なお、図示する例の場合、属性情報及び推定属性情報の欄には、精度が高いと考えられる属性情報を優先的に記載してある。すなわち、属性情報及び推定属性情報の両方が存在する場合には、属性情報を記載している。そして、属性情報のみが存在する場合には属性情報を記載し、推定属性情報のみが存在する場合には推定属性情報を記載している。なお、属性情報及び推定属性情報の両方が存在する場合には、推定属性情報を記載してもよいし、両方を記載してもよい。【００７６】
○処理例８（同一人物を重複して表す属性情報及び推定属性情報を抽出）
ある撮影画像で認識された２人の人物の推定属性情報がほぼ一致し、かつ、このタイミングで推定属性情報と同様な内容の２つの属性情報が取得される場合がある。例えば、図７示すように、推定属性情報が一致し、取得日時が重なる２つの推定属性情報を取得したとする。そして、図８に示すように、このタイミングで同様な内容の２つの属性情報を取得したとする。当該情報だけでは、いずれの推定属性情報といずれの属性情報が同一人物を表しているのか判断できない。【００７７】
しかし、図８の属ＩＤ「Ｂ００６１」の属性情報で特定される「××さん」は、図６を参照すれば、他のタイミングで取得された属性情報が他のタイミングで取得された推定属性情報と統合され、特徴量「○×○」が対応付けられている。この情報に基づき、「××さん」の特徴量は、「○×○」であることが分かる。抽出部１４は、当該情報に基づき、推属ＩＤ「Ｂ００５８」と属ＩＤ「Ｂ００６１」が同一人物を重複して表す属性情報及び推定属性情報であることを特定することができる。そして、残った推属ＩＤ「Ｂ００５９」と属ＩＤ「Ｂ００６２」が同一人物を重複して表す属性情報及び推定属性情報であると判断できる。【００７８】
このように、他のタイミング（処理対象の推定属性情報及び属性情報より前であってもよいし、後であってもよい）で取得された属性情報と推定属性情報との対応付け（統合）の結果に基づいて、同一人物を重複して表す属性情報及び推定属性情報を抽出することができる。【００７９】
○処理例９（同一人物を重複して表す属性情報及び推定属性情報を抽出）
ある撮影画像で認識された２人の人物の推定属性情報がほぼ一致し、かつ、このタイミングで推定属性情報と同様な内容の１つの属性情報を取得する場合がある。例えば、図９に示すように、推定属性情報が一致し、取得日時が重なる２つの推定属性情報を取得したとする。そして、図１０に示すように、このタイミングで同様な内容の１つの属性情報を取得したとする。当該情報だけでは、いずれの推定属性情報といずれの属性情報が同一人物を表しているのか判断できない。【００８０】
しかし、図６を参照すれば、図９の推属ＩＤ「Ｂ００７２」に対応する特徴量と一致する特徴量が対応付いているユーザＩＤが既に存在する。そして、このユーザＩＤの属ＩＤの欄が空であることに基づけば、このユーザＩＤに対応する推定属性情報は、属性情報で表されていない人物を表す推定属性情報であることが分かる。この情報に基づき、抽出部１４は、推属ＩＤ「Ｂ００７２」の推定属性情報は、属性情報で表されていない人物を表す推定属性情報であると特定できる。そして、残った推属ＩＤ「Ｂ００７３」と属ＩＤ「Ａ００７６」が同一人物を重複して表す属性情報及び推定属性情報であると判断できる。【００８１】
このように、他のタイミング（処理対象の推定属性情報及び属性情報より前であってもよいし、後であってもよい）で取得された属性情報と推定属性情報との対応付けの結果に基づいて、同一人物を重複して表す属性情報及び推定属性情報を抽出することができる。【００８２】
○処理例１０（同一人物を重複して表す属性情報及び推定属性情報を抽出）
ある撮影画像で３人以上の人物が認識され、３つの推定属性情報が生成される場合がある。そして、このタイミングで１つの属性情報を取得する場合がある。例えば、図１１示すように、取得日時が重なる３つの推定属性情報を取得したとする。そして、図１２に示すように、このタイミングで１つの属性情報を取得したとする。【００８３】
この場合、抽出部１４は、まず、属性情報及び推定属性情報の一致度により、推属ＩＤ「Ｂ００９３」と属ＩＤ「Ａ０１０１」は同一人物を表していないと判断できる。【００８４】
次いで、図６を参照すれば、図１１の推属ＩＤ「Ｂ００９２」に対応する特徴量と一致する特徴量が対応付いているユーザＩＤが既に存在する。そして、このユーザＩＤの属ＩＤの欄が空であることに基づけば、このユーザＩＤに対応する推定属性情報は、属性情報で表されていない人物を表す推定属性情報であることが分かる。この情報に基づき、抽出部１４は、推属ＩＤ「Ｂ００９２」の推定属性情報は、属性情報で表されていない人物を表す推定属性情報であると特定できる。そして、残った推属ＩＤ「Ｂ００９４」と属ＩＤ「Ａ０１０１」が同一人物を重複して表す属性情報及び推定属性情報であると判断できる。【００８５】
このように、他のタイミング（処理対象の推定属性情報及び属性情報より前であってもよいし、後であってもよい）で取得された属性情報と推定属性情報との対応付けの結果に基づいて、同一人物を重複して表す属性情報及び推定属性情報を抽出することができる。【００８６】
次に、図１３のフローチャートを用いて、本実施形態のデータ処理方法の処理の流れの一例を説明する。なお、当該処理の流れはあくまで一例であり、これに限定されない。ここでは、属性情報取得部１１が取得した属性情報（図４参照）、及び、画像処理部１３が生成した推定属性情報（図５参照）を統合し、統合済データ（図６参照）を生成する処理につて説明する。【００８７】
まず、抽出部１４は、１つの属性情報又は推定属性情報を取得し、処理対象とする（Ｓ１０）。【００８８】
例えば、属性情報取得部１１はユーザ携帯端末３０から取得した属性情報を、リアルタイム処理で順次、抽出部１４に入力してもよい。また、撮影画像取得部１２はリアルタイム処理で撮影装置４０から画像データを取得してもよい。そして、画像処理部１３はリアルタイム処理で当該画像データを解析して推定属性情報を生成し、抽出部１４に入力してもよい。抽出部１４は、このように属性情報取得部１１及び画像処理部１３から入力される属性情報及び推定属性情報を、入力順に処理対象とし、リアルタイム処理で処理してもよい。【００８９】
その他の例として、抽出部１４は、属性情報取得部１１がユーザ携帯端末３０から取得した複数の属性情報、及び、画像処理部１３が生成した複数の推定属性情報を、バッチ処理してもよい。この場合、抽出部１４は、属性情報及び推定属性情報の群の中から、取得日時順に処理対象を決定してもよい。【００９０】
その後、抽出部１４は、処理対象と、統合済データとを用い、上記処理例１乃至１０に基づいて、統合処理を行う（Ｓ１１）。なお、統合処理の処理フローは特段制限されず、様々な態様を採用し得る。そして、以降、同様の処理を繰り返す（Ｓ１２）。【００９１】
ここで、図１４を用いて、本実施形態の変形例について説明する。当該変形例のデータ処理システムでは、ユーザ携帯端末３０がユーザの属性情報を含む検知情報を通信エリア３０Ａ内に送信し、当該通信エリア３０Ａ内に位置する設置装置２０が当該検知情報を受信する。そして、検知情報を受信した設置装置２０は、当該受信に応じて、ユーザの属性情報をデータ処理装置１０に送信する。当該変形例のデータ処理システムは、当該点で、上記例と異なる。その他の構成は、上記例と同様である。当該例の場合、ユーザ携帯端末３０は、設置装置２０を介して（経由して）、ユーザの属性情報をデータ処理装置１０に送信することとなる。【００９２】
当該変形例のユーザ携帯端末３０は、本実施形態のデータ処理システム専用に準備された端末、例えばビーコン端末であってもよい。設置装置２０とデータ処理装置１０間は、有線及び／又は無線で通信される。【００９３】
次に、本実施形態の作用効果について説明する。【００９４】
本実施形態によれば、顔画像を用いてユーザの推定属性情報を取得する手段、及び、ユーザ携帯端末３０からユーザの属性情報を取得する手段の両方で、ユーザの属性情報（推定属性情報を含む）を収集することができる。そして、このようにして収集した情報を用いて、所定の分析を行うことができる。例えば、所定のスポットに来たユーザの属性を分析したり、所定のスポットに来たユーザにおいて、ユーザ携帯端末３０を携帯していないユーザを抽出し、その属性を分析したり、顔画像を用いて推定属性情報を取得できなかったユーザを抽出し、その属性を分析したり、そのデータを蓄積したりできる。【００９５】
結果、いずれか一方の手段でユーザの属性情報（推定属性情報を含む）を取得し、分析する場合に比べて、分析の精度を向上させることができる。また、分析できる内容の幅を広げることができる。【００９６】
以下、参考形態の例を付記する。
１．  設置装置から所定の距離以内のエリアに位置するユーザ携帯端末各々から、ユーザの属性情報を取得する属性情報取得手段と、
前記エリア内を撮影した撮影画像の画像データを取得する撮影画像取得手段と、
前記撮影画像を解析することにより、前記撮影画像に写っている人物を認識するとともに、認識した人物毎に属性情報を推定して推定属性情報を生成する画像処理手段と、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出手段と、
を有するデータ処理装置。
２．  １に記載のデータ処理装置において、
前記抽出手段は、互いに異なるタイミングで撮影された複数の前記撮影画像各々を解析することで生成された複数の前記推定属性情報の中から、同一人物を重複して表す前記推定属性情報をさらに抽出するデータ処理装置。
３．  ２に記載のデータ処理装置において、
前記画像処理手段は、前記撮影画像の解析により認識した人物毎に、前記撮影画像を解析することにより特徴量を抽出し、
前記抽出手段は、前記特徴量に基づいて、複数の前記推定属性情報の中から、同一人物を重複して表す前記推定属性情報を抽出するデータ処理装置。
４．  所定の場所に設置され、通信距離が所定の距離以内である所定の無線通信規格で通信可能である設置装置と、
ユーザに携帯され、前記無線通信規格で通信可能であり、前記設置装置から前記所定の距離以内のエリアに入ると、前記無線通信規格で前記設置装置と通信するユーザ携帯端末と、
前記エリア内を撮影する撮影装置と、
１から３のいずれかに記載のデータ処理装置と、
を有するデータ処理システム。
５．  ４に記載のデータ処理システムにおいて、
前記ユーザ携帯端末は、前記設置装置と前記無線通信規格で通信すると、当該通信に応じて、自端末に予め記憶されているユーザの属性情報を前記データ処理装置に送信するデータ処理システム。
６．  ５に記載のデータ処理システムにおいて、
前記ユーザ携帯端末は、前記設置装置を介して、前記属性情報を前記データ処理装置に送信するデータ処理システム。
７．  コンピュータが、
設置装置から所定の距離以内のエリアに位置するユーザ携帯端末各々から、ユーザの属性情報を取得する属性情報取得工程と、
前記エリア内を撮影した撮影画像の画像データを取得する撮影画像取得工程と、
前記撮影画像を解析することにより、前記撮影画像に写っている人物を認識するとともに、認識した人物毎に属性情報を推定して推定属性情報を生成する画像処理工程と、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出工程と、
を実行するデータ処理方法。
７−２．  ７に記載のデータ処理方法において、
前記抽出工程では、互いに異なるタイミングで撮影された複数の前記撮影画像各々を解析することで生成された複数の前記推定属性情報の中から、同一人物を重複して表す前記推定属性情報をさらに抽出するデータ処理方法。
７−３．  ７−２に記載のデータ処理方法において、
前記画像処理工程では、前記撮影画像の解析により認識した人物毎に、前記撮影画像を解析することにより特徴量を抽出し、
前記抽出工程では、前記特徴量に基づいて、複数の前記推定属性情報の中から、同一人物を重複して表す前記推定属性情報を抽出するデータ処理方法。
８．  コンピュータを、
設置装置から所定の距離以内のエリアに位置するユーザ携帯端末各々から、ユーザの属性情報を取得する属性情報取得手段、
前記エリア内を撮影した撮影画像の画像データを取得する撮影画像取得手段、
前記撮影画像を解析することにより、前記撮影画像に写っている人物を認識するとともに、認識した人物毎に属性情報を推定して推定属性情報を生成する画像処理手段、
同一人物を重複して表す前記属性情報及び前記推定属性情報、前記属性情報で表されていない人物を表す前記推定属性情報、及び、前記推定属性情報で表されていない人物を表す前記属性情報の中の少なくとも一つを抽出する抽出手段、
として機能させるためのプログラム。
８−２．  ８に記載のプログラムにおいて、
前記抽出手段に、互いに異なるタイミングで撮影された複数の前記撮影画像各々を解析することで生成された複数の前記推定属性情報の中から、同一人物を重複して表す前記推定属性情報をさらに抽出させるプログラム。
８−３．  ８−２に記載のプログラムにおいて、
前記画像処理手段に、前記撮影画像の解析により認識した人物毎に、前記撮影画像を解析することにより特徴量を抽出させ、
前記抽出手段に、前記特徴量に基づいて、複数の前記推定属性情報の中から、同一人物を重複して表す前記推定属性情報を抽出させるプログラム。【００９７】
この出願は、２０１４年９月２日に出願された日本出願特願２０１４−１７７８５８号を基礎とする優先権を主張し、その開示の全てをここに取り込む。
【図１】
2016035632.tif 000003
【図２】
2016035632.tif 000004
【図３】
2016035632.tif 000005
【図４】
2016035632.tif 000006
【図５】
2016035632.tif 000007
【図６】
2016035632.tif 000008
【図７】
2016035632.tif 000009
【図８】
2016035632.tif 000010
【図９】
2016035632.tif 000011
【図１０】
2016035632.tif 000012
【図１１】
2016035632.tif 000013
【図１２】
2016035632.tif 000014
【図１３】
2016035632.tif 000015
【図１４】
2016035632.tif 000016
【国際調査報告】
2016035632.tif 000017
2016035632.tif 000018
2016035632.tif 000019
2016035632.tif 000020